(57)【特許請求の範囲】
【請求項１】
電源プラグを接続可能なコンセント本体部と、該コンセント本体部を覆うカバー部と、前記電源プラグを前記コンセント本体部に接続した状態で保持するプラグ保持部とを備えたコンセントであって、
前記プラグ保持部は、前記電源プラグを保持した状態で前記カバー部に向かって突出し、前記電源プラグの係止突起を保持する突起部であり、
前記カバー部は、前記電源プラグが前記プラグ保持部に保持された状態で前記電源プラグおよび前記プラグ保持部を覆う状態と露出させる状態とで移動可能であり、
前記カバー部は、扉部と、該扉部を開閉自在に保持する扉保持部とを備えており、前記扉部が開閉自在であることにより、前記電源プラグが前記プラグ保持部に保持された状態で前記電源プラグおよび前記プラグ保持部を覆う状態と露出させる状態とで移動可能であり、前記扉保持部が前記コンセント本体部から取外し可能に前記コンセント本体部に保持され、
前記コンセント本体部は、前記扉部で覆われる位置に、前記扉保持部を取外し可能とするための取外操作部を設けており、
前記取外操作部は、変位により前記扉保持部と前記コンセント本体部との係止を外す構造であることを特徴とするコンセント。
【請求項２】
前記カバー部は、前記電源プラグを前記コンセント本体部に接続した状態で、前記電源プラグからのケーブルを導出させる前記電源プラグよりも小さいケーブル導出孔を有することを特徴とする請求項１に記載のコンセント。
【請求項３】
前記カバー部は、前記電源プラグおよび前記プラグ保持部を覆う状態で、前記カバー部をロックするロック部を有することを特徴とする請求項１または請求項２に記載のコンセント。
【請求項４】
前記コンセント本体部および前記扉部それぞれには、前記扉保持部に対して前記扉部が閉鎖した状態でロックするための錠が挿通可能な貫通穴部を有することを特徴とする請求項１ないし請求項３のいずれか１項に記載のコンセント。
【請求項５】
前記扉保持部に対して前記扉部が閉鎖した状態で、前記扉保持部と前記扉部とが面一であることを特徴とする請求項１ないし請求項４のいずれか１項に記載のコンセント。
【発明の詳細な説明】
【技術分野】
【０００１】
本発明は、たとえば、屋外で使用可能なコンセントに関する。
【背景技術】
【０００２】
従来から、家屋の外壁などに取り付けられる屋外用のコンセントがある。最近では、コンセントは、電池式電気自動車やプラグインハイブリッドカーなどの車両（以下、電気自動車という）に搭載される二次電池の充電用として用いられるものもある。
【０００３】
この種のコンセントとして、図１４ないし図１６に示すように、コンセント本体と、コンセントカバー１０２と、化粧カバー１０６とを備えたコンセント１００が知られている（たとえば、特許文献１）。
【０００４】
特許文献１のコンセント１００は、コンセント本体が、ボディ１０４とコンセントブロック１０５とを備えている。コンセントブロック１０５は、ボディ１０４の下面側（図１４の紙面の下側）から栓刃挿入口１５１ａを露出させた状態でボディ１０４に収納されている。コンセント１００は、ボディ１０４の前面、側面及び上面を覆う化粧カバー１０６を備えている。コンセント１００は、コンセントカバー１０２が支持部１０３によってボディ１０４に対して回動自在に支持されている。コンセントカバー１０２は、ボディ１０４から露出した栓刃挿入口１５１ａを覆うことができる（図１５を参照）。コンセント１００は、コンセントカバー１０２の回動支持部１２１にシャフトを挿通してコンセントカバー１０２と支持部１０３とが組み立てられている。
【０００５】
また、特許文献１のコンセント１００は、プラグ１０９の栓刃１９１ａ２が栓刃挿入口１５１ａに挿入されたとき、プラグ１０９を係止する保持部１０２ｃをコンセントカバー１０２に設けている（図１６を参照）。コンセント１００は、プラグケースの背面１９２ｂを保持部１０２ｃに引っかけて、プラグ１０９を保持することができる。
【０００６】
なお、特許文献１のコンセント１００は、ボディ１０４への切り込みによって、たわみ自在に形成された撓み部１４２ｅが設けられている。化粧カバー１０６は、ボディ１０４の上方からスライド嵌合し撓み部１４２ｅに係止することでボディ１０４に着脱自在に固定されている。
【０００７】
特許文献１のコンセント１００は、保持部１０２ｃがプラグ１０９を保持しているので、たとえば、プラグ１０９のケーブルに足を引っ掛けた場合でもプラグ１０９がコンセント１００から抜けないようにすることができる、としている。
【先行技術文献】
【特許文献】
【０００８】
【特許文献１】特開２０１１−８１９６２号公報
【発明の概要】
【発明が解決しようとする課題】
【０００９】
ところで、コンセントは、たとえば、電気自動車への充電用に用いられる場合、数時間以上の間、電気自動車と電気的に接続されたプラグなどが差し込まれたままのこともある。コンセントは、プラグをコンセントカバーに保持したままの状態の場合、コンセントの使用者が外観の意匠を雑然と感じる恐れがある。
【００１０】
本発明は、上記の点に鑑みて為されたもので、美観性の向上が可能なコンセントを提供することにある。
【課題を解決するための手段】
【００１１】
本発明のコンセントは、電源プラグを接続可能なコンセント本体部と、該コンセント本体部を覆うカバー部と、上記電源プラグを上記コンセント本体部に接続した状態で保持するプラグ保持部とを備えたコンセントであって、上記プラグ保持部は、上記電源プラグを保持した状態で上記カバー部に向かって突出し、上記電源プラグの係止突起を保持する突起部であり、上記カバー部は、上記電源プラグが上記プラグ保持部に保持された状態で上記電源プラグおよび上記プラグ保持部を覆う状態と露出させる状態とで移動可能であり、上記カバー部は、扉部と、該扉部を開閉自在に保持する扉保持部とを備えており、上記扉部が開閉自在であることにより、上記電源プラグが上記プラグ保持部に保持された状態で上記電源プラグおよび上記プラグ保持部を覆う状態と露出させる状態とで移動可能であり、上記扉保持部が上記コンセント本体部から取外し可能に上記コンセント本体部に保持され、上記コンセント本体部は、上記扉部で覆われる位置に、上記扉保持部を取外し可能とするための取外操作部を設けており、上記取外操作部は、変位により上記扉保持部と上記コンセント本体部との係止を外す構造であることを特徴とする。
【００１２】
このコンセントにおいて、上記カバー部は、上記電源プラグを上記コンセント本体部に接続した状態で、上記電源プラグからのケーブルを導出させる上記電源プラグよりも小さいケーブル導出孔を有することが好ましい。
【００１３】
このコンセントにおいて、上記カバー部は、上記電源プラグおよび上記プラグ保持部を覆う状態で、上記カバー部をロックするロック部を有することが好ましい。
【００１４】
このコンセントにおいて、上記コンセント本体部および上記扉部それぞれには、上記扉保持部に対して上記扉部が閉鎖した状態でロックするための錠が挿通可能な貫通穴部を有することが好ましい。
【００１５】
このコンセントにおいて、上記扉保持部に対して上記扉部が閉鎖した状態で、上記扉保持部と上記扉部とが面一であることが好ましい。
【発明の効果】
【００１６】
本発明のコンセントは、美観性の向上が可能となる。
【図面の簡単な説明】
【００１７】
【図１】実施形態１のコンセントの使用例を説明する斜視図である。
【図２】同上のコンセントの使用状態における斜視図である。
【図３】同上のコンセントの使用状態における断面図である。
【図４】同上のコンセントを示す正面側から見た斜視分解図である。
【図５】同上のコンセントを示す背面側から見た斜視分解図である。
【図６】同上のコンセントを説明する斜視図である。
【図７】同上のコンセントを示す正面図である。
【図８】同上のコンセントを示す別の正面図である。
【図９】同上のコンセントを示す斜視図である。
【図１０】同上のコンセントを説明する斜視分解図である。
【図１１】実施形態２のコンセントを示す側面図である。
【図１２】同上のコンセントを示す別の側面図である。
【図１３】実施形態３のコンセントを示す斜視図である。
【図１４】従来のコンセントを示し、コンセントカバーが開位置にあるときの斜視図である。
【図１５】同上のコンセントを示し、コンセントカバーが閉位置にあるときの斜視図である。
【図１６】同上のコンセントを示し、プラグが挿入されたときの断面図である。
【発明を実施するための形態】
【００１８】
（実施形態１）
以下、本実施形態のコンセント１０について、図１ないし図１０に基づいて説明する。
【００１９】
本実施形態のコンセント１０は、図１に示すように、電源プラグ３０ｅを接続可能なコンセント本体部１と、コンセント本体部１を覆うカバー部と、電源プラグ３０ｅをコンセント本体部１に接続した状態で保持するプラグ保持部３とを備えている。本実施形態のコンセント１０のカバー部は、電源プラグ３０ｅがプラグ保持部３に保持された状態で電源プラグ３０ｅおよびプラグ保持部３を覆う状態と露出させる状態とで移動可能としている。カバー部は、扉部４と、扉部４を開閉自在に保持する扉保持部２とを備えており、扉部４が開閉自在であることにより、電源プラグ３０ｅおよびプラグ保持部３を覆う状態と露出させる状態とで移動可能としている（図２および図３を参照）。
【００２０】
なお、電源プラグ３０ｅは、電源プラグ３０ｅから充電ケーブル３０ｄが導出しており、電気自動車の二次電池（図示していない）への充電に用いることが可能になっている。
【００２１】
より具体的には、本実施形態のコンセント１０のコンセント本体部１は、たとえば、住宅の屋外の壁材（図示していない）に取り付けるため、平面視が矩形板状の基部１ａａを有する器具本体１ａを備えている（図４および図５を参照）。器具本体１ａは、基部１ａａの上側（図４および図５の紙面の左側）に基部１ａａから連続一体に設けられた収部１ａｂを有している。収部１ａｂは、収部１ａｂの内部に充電ケーブル３０ｄの先端部に設けられた電源プラグ３０ｅと電気的に接続可能な配線器具５を収納する。また、器具本体１ａは、基部１ａａの上側の中央部に貫通孔１ｆを設けている。器具本体１ａは、取付螺子１１を基部１ａａの上側の貫通孔１ｆに挿通しやすいように、切欠部１ｈを収部１ａｂに設けている。器具本体１ａは、基部１ａａの下側（図４および図５の紙面の右側）の中央部に取付螺子１１を挿通する貫通孔１ｆを設けている。また、器具本体１ａは、基部１ａａの下側の貫通孔１ｆを覆い、器具本体１ａに対して開閉可能な扉体１ｇを備えている。なお、器具本体１ａは、扉体１ｇの係止部１ｇａを係止する係止孔１ｇｂを設けている。
【００２２】
器具本体１ａは、コンセント本体部１を壁材側に取り付けるため、取付枠１４を利用する。取付枠１４は、コンセント本体部１の取付に先立って、予め取付螺子（図示していない）により壁材に螺子止めされる。ここで、器具本体１ａと取付枠１４との間には、取付枠１４の外周を覆い器具本体１ａと取付枠１４との間および取付枠１４と壁材との間から雨水などの水が浸入することを抑制する防水板１３が、取付枠１４を覆って設けられる。防水板１３は、防水板１３の上側の中央部および下側の中央部に、取付螺子１１が挿通される取付孔１３ｂを貫設させている。なお、取付枠１４の材料は、たとえば、電気絶縁性を有するＡＢＳ樹脂を用いることができる。また、防水板１３の材料としては、たとえば、軟質で弾性を有する塩化ビニル樹脂を用いることができる。
【００２３】
コンセント本体部１は、取付枠１４の孔部１４ａ、防水板１３の挿通孔部１３ａに挿通させた壁材側から導出する電源コード（図示していない）を、器具本体１ａの収部１ａｂに収納される配線器具５と電気的に接続させる。
【００２４】
コンセント本体部１は、収部１ａｂの下側から電源プラグ３０ｅと電気的に接続できるように配線器具５を配置している。また、コンセント本体部１には、収部１ａｂの下側よりも若干大きく開閉可能な半円板状のプラグ保持部３を器具本体１ａに備えている（図４を参照）。プラグ保持部３は、たとえば、ＡＡＳ樹脂を用いて形成している。プラグ保持部３は、電源プラグ３０ｅが配線器具５に接続されていない場合、収部１ａｂの下面を覆うコンセントカバーとして機能させることができる（図６を参照）。すなわち、コンセント本体部１は、収部１ａｂに配線器具５などを備えた器具本体１ａにより構成している。また、コンセント本体部１は、器具本体１ａの上側、側面側が、たとえば、ＡＢＳ樹脂により形成させたカバー部で覆われている。カバー部は、カバー部の前面側（図７，８の紙面の正面側）の扉部４と、扉部４を開閉自在に保持する扉保持部２とを備えている。カバー部は、扉部４が開閉自在であることにより、電源プラグ３０ｅがプラグ保持部３に保持された状態で電源プラグ３０ｅおよびプラグ保持部３を覆う状態と露出させる状態とで移動可能としている。カバー部は、コンセント１０の化粧カバーとして機能させることができる。
【００２５】
コンセント１０は、電気自動車の二次電池への充電時において、充電ケーブル３０ｄの先端部に設けられた電源プラグ３０ｅをコンセント本体部１に接続した状態で、プラグ保持部３によりコンセント本体部１側に電源プラグ３０ｅを保持することができる。また、コンセント１０は、電源プラグ３０ｅをコンセント本体部１側に接続させた状態で電源プラグ３０ｅやプラグ保持部３を扉部４で覆うことができる。そのため、本実施形態のコンセント１０は、美観性の向上が可能とすることができる。
【００２６】
以下、本実施形態のコンセント１０の構成について、より詳述する。
【００２７】
本実施形態のコンセント１０は、主として、コンセント本体部１と、カバー部と、プラグ保持部３とを備えている。
【００２８】
コンセント本体部１は、収部１ａｂの下面側に開口部を備えている。コンセント本体部１は、開口部を塞ぐように配線器具５の受口カバー５ａが配置される。配線器具５の受口カバー５ａには、電源プラグ３０ｅの栓刃３０ａの挿入方向に凹んだ凹部５ａａが設けられている（図３および図９を参照）。コンセント１０は、受口カバー５ａの凹部５ａａに電源プラグ３０ｅの先端部が挿入される。すなわち、コンセント本体部１は、器具本体１ａの収部１ａｂの下面から栓刃挿入口１ｄを露出させた状態で収部１ａｂに収納される配線器具５を備えている（図９を参照）。
【００２９】
なお、配線器具５は、内部に、電源プラグ３０ｅの栓刃３０ａを受ける刃受（図示せず）と、壁材側からの電源コードを内部で保持する錠バネ（図示せず）と、電源コードの保持を解除する解除ボタン（図示せず）とを備えている。また、配線器具５は、電源プラグ３０ｅの栓刃３０ａが挿入される栓刃挿入口１ｄと、内部に電源コードを挿入させる電線挿入口５ｃとを備えている。栓刃挿入口１ｄは、電源プラグ３０ｅの栓刃３０ａのうちの一対の電圧側栓刃および接地側栓刃が挿入される略長方形の平型栓刃挿入口１ｄ１と、電源プラグ３０ｅの栓刃３０ａのうちの接地極の栓刃が挿入される半円状のピン型栓刃挿入口１ｄ２とで構成している。
【００３０】
配線器具５は、固定螺子１２を配線器具５の両側面に設けられた固定部５ｂに挿通し、固定螺子１２を収部１ａｂの後面に形成された螺子穴１ｋに螺合して、収部１ａｂに固定される。
【００３１】
コンセント１０は、器具本体１ａの基部１ａａの側面側および収部１ａｂの上側および側面側がカバー部の扉保持部２で覆われている。コンセント本体部１には、電源プラグ３０ｅをコンセント本体部１に接続した状態で保持するプラグ保持部３が設けられている。プラグ保持部３は、器具本体１ａ側に設けられる支持部１ｊによって、器具本体１ａに対し回動自在に支持される。プラグ保持部３は、配線器具５の栓刃挿入口１ｄを塞ぐことができるように構成している。なお、プラグ保持部３は、器具本体１ａに対しプラグ保持部３を開いた状態で、接続可能な電源プラグ３０ｅの形状が分かるように、半円板状のプラグ保持部３の表面に電源プラグ３０ｅの栓刃挿入口１ｄを絵表示などしている。器具本体１ａは、支持部１ｊを基部１ａａの受口カバー５ａ側に防水パッキン（図示していない）を介して設けている。さらに、器具本体１ａには、収部１ａｂの前面側に器具本体１ａの長手方向に沿って、一対の平行な切込溝１ａｂ１，１ａｂ１を設けている。収部１ａｂの一部は、切込溝１ａｂ１によって、器具本体１ａの前後方向に撓み自在に形成されている。
【００３２】
カバー部は、扉部４と扉保持部２とを備えている。扉部４と扉保持部２とは、それぞれ、たとえば、合成樹脂の成形により形成することができる。カバー部の扉保持部２は、コンセント本体部１の器具本体１ａにおける上側、前面側、および側面側を覆ってコンセント本体部１に取り付け可能としている。扉保持部２は、収部１ａｂを覆う半円状の上壁部２ａと、基部１ａａから突出した収部１ａｂを覆う半円筒状の前壁部２ｂと、基部１ａａの側面を覆う側壁部２ｃとを備えている。扉保持部２は、扉保持部２の側壁部２ｃの内側に側面視が略Ｔ字状の嵌合片２ｅを備えている。また、扉保持部２には、前壁部２ｂの内面の下側に器具本体１ａの凸部１ａｂ２と係止する爪状の係止部２ｂｂを突設させている（図３を参照）。
【００３３】
コンセント１０は、突起部３ａで電源プラグ３０ｅを保持することで、電源プラグ３０ｅはコンセント１０から抜けにくくなる。これにより、コンセント１０は、たとえば、電源プラグ３０ｅの充電ケーブル３０ｄに足を引っ掛けた場合でも電源プラグ３０ｅがコンセント１０から抜け難くさせることが可能となる。コンセント１０では、配線器具５の受口カバー５ａに凹部５ａａを設け、凹部５ａａ内に電源プラグ３０ｅの先端部が挿入される構成としている。これにより、コンセント１０は、電源プラグ３０ｅの栓刃３０ａが栓刃挿入口１ｄに挿入されて通電している場合、電源プラグ３０ｅと配線器具５の受口カバー５ａとの間には隙間が生じないようにしている。そのため、コンセント１０は、通電した栓刃３０ａに使用者が触れ難く構成されている。
【００３４】
カバー部の扉保持部２は、器具本体１ａの上側（図１０の紙面の上側）から器具本体１ａの外形に沿ってスライドさせ、嵌合片２ｅを基部１ａａの嵌合溝１ｍに嵌合することができるように構成している。扉保持部２は、係止部２ａｂを器具本体１ａの凸部１ａｂ２に係止することで、コンセント本体部１に着脱自在に固定することができる。なお、カバー部には、器具本体１ａ側に突出する複数個の突出爪２ｖを備えており、対応する器具本体１ａ側には、突出爪２ｖと係止する複数個の切溝１ｖを備えている。
【００３５】
コンセント１０では、カバー部の扉保持部２をコンセント本体部１から取り外す場合、たとえば、収部１ａｂと扉保持部２の前壁部２ｂとの間へドライバーなどの冶具が差し込まれる。コンセント１０は、冶具の差込により、収部１ａｂの撓み自在な一部に設けられた取外操作部１ｃを変位させ凸部１ａｂ２を係止部２ａｂから外すことができる。これにより、コンセント１０は、扉保持部２をコンセント本体部１に対して上側にスライドさせて、扉保持部２をコンセント本体部１から容易に取外し可能とすることができる。言い換えれば、扉保持部２は、コンセント本体部１から取外し可能にコンセント本体部１に保持されている。本実施形態のコンセント１０は、何らかの要因で扉保持部２や扉部４などが破損した場合でも、コンセント１０全体を交換することなく、カバー部のみを交換して修理を行うことが可能となる。コンセント本体部１は、扉部４で覆われる位置に、扉保持部２を取外し可能とするための取外操作部１ｃを設けている。コンセント１０は、扉部４が閉鎖した状態において、取外操作部１ｃが外部から見えることがない。そのため、コンセント１０は、いたずらなどで簡単にカバー部が外されることがなく、使用上の安全を高めることが可能となる。
【００３６】
扉保持部２は、一方の側壁部２ｃ側に側壁部２ｃの長手方向に沿って、円筒状の一対の回動支持部２ｇ，２ｇを直線状に設けている。扉保持部２の回動支持部２ｇには、扉部４のシャフト支持部４ｇの端部から突出するシャフト４ｇ１を軸支可能なシャフト挿通孔２ｇ１を貫設している（図４および図５を参照）。
【００３７】
プラグ保持部３は、受口カバー５ａが配される収部１ａｂの下面側よりも若干大きい半円板状の形状としている。プラグ保持部３は、半円板状のプラグ保持部３における先端の頂部にプラグ保持部３の厚みを部分的に薄くした指掛部３ｂを形成している。プラグ保持部３は、電源プラグ３０ｅをコンセント本体部１に接続させた状態で、電源プラグ３０ｅの係止突起３０ｂと、プラグ保持部３の凹部３ｃの内底面中央部から突出する突起部３ａとが係止される（図３を参照）。プラグ保持部３は、電源プラグ３０ｅの栓刃３０ａを栓刃挿入口１ｄに挿入した場合、電源プラグ３０ｅの係止突起３０ｂを凹部３ｃの突起部３ａで保持することができる。
【００３８】
プラグ保持部３は、円筒状の一対の回動支持部３ｊ，３ｊを器具本体１ａ側に直線状に設けている。プラグ保持部３の回動支持部３ｊには、支持部１ｊから突出するシャフト１ｊ１を挿入可能なシャフト挿通孔３ｊ１を貫設している。支持部１ｊは、支持部１ｊに穿孔された２つの取付孔（図示していない）に、取付螺子１５が挿通される。支持部１ｊは、器具本体１ａの螺子穴１ｎに取付螺子１５によって、器具本体１ａの後面側から螺合している。なお、支持部１ｊには、図示していないが、シャフト１ｊ１の径とほぼ等しい径のダンパー部材と、付勢バネとを好適に有している。支持部１ｊは、付勢バネによりプラグ保持部３がコンセント本体部１側に閉じる際の衝撃をダンパー部材で緩和させている。
【００３９】
扉部４は、有底の半円筒状に形成されている。扉部４は、扉部４の後面の中央部に底板部４ｄと略平行な中板部４ｋを設けている。扉部４は、中板部４ｋにより扉部４の強度を向上させている。カバー部の扉部４は、電源プラグ３０ｅをコンセント本体部１に接続した状態で、電源プラグ３０ｅからの充電ケーブル３０ｄを導出させる電源プラグ３０ｅよりも小さいケーブル導出孔４ａを有している。扉部４は、扉部４の底板部４ｄに、たとえば、直径が略１２ｍｍの充電ケーブル３０ｄを通し、直径が略３９ｍｍの電源プラグ３０ｅを通さない大きさのケーブル導出孔４ａを設けている。本実施形態の扉部４は、Ｖ字形状のケーブル導出孔４ａを形成させている。ケーブル導出孔４ａは、Ｖ字形状のみに限られるものでない。ケーブル導出孔４ａは、Ｕ字形状など種々の形状で形成させることができる。
【００４０】
扉部４には、扉部４を貫設する貫設孔に挿通されたロック棒６を備えている（図３を参照）。ロック棒６は、頭部６ｃと頭部６ｃの中央部から突出し、扉部４の貫設孔に挿通される軸部６ａとを備えている。ロック棒６は、扉部４の後面側で軸部６ａに固定される環状部６ｂを備えている（図１を参照）。環状部６ｂには、環状の外周方向の一部に突出するロック片６ｂ１を備えている。また、環状部６ｂは、環状の外周方向の一部に突出する突出片６ｂ２をロック片６ｂ１と対向する外周方向からずらして設けている。ロック棒６は、扉部４の前面側に頭部６ｃの外周部が窪んだ一対の窪部６ａ１，６ａ１を設けている（図７および図８を参照）。ロック棒６は、一対の窪部６ａ１，６ａ１に挿入させた挿入冶具（図示していない）を回転させることに伴い、ロック棒６の軸部６ａが回転する。ロック棒６は、軸部６ａの回動に伴って軸部６ａに固定された環状部６ｂが軸部６ａ回りに回動する。扉部４は、後面側のロック棒６の近辺にロック棒６の回動を規制する規制突起部４ｖと規制突起片４ｈとを備えている。ロック棒６は、環状部６ｂの軸部６ａ回りの一方向への回動が突出片６ｂ２の規制突起部４ｖへの当接により規制されるように構成している。同様に、ロック棒６は、環状部６ｂの軸部６ａ回りの他方向への回動がロック片６ｂ１の規制突起片４ｈへの当接により規制されるように構成している。
【００４１】
ここで、コンセント１０は、ロック片６ｂ１を規制突起部４ｖへ当接させた状態で、扉部４がプラグ保持部３を覆うように閉鎖状態とする（図７を参照）。次に、コンセント１０は、ロック棒６の頭部６ｃが回動されることにより、ロック片６ｂ１がロック部２ａａに収納され、扉部４がプラグ保持部３を覆った閉鎖状態で、扉部４を扉保持部２にロックさせることが可能となる（図８を参照）。なお、ロック部２ａａには、ロック片６ｂ１と当接してロック片６ｂ１を仮保持するロック仮保持部７を好適に備えている（図９を参照）。
【００４２】
これにより、本実施形態のコンセント１０は、扉部４に設けた一対の窪部６ａ１，６ａ１に挿入可能な専用キーなどの挿入冶具でしかロックを解除することができず、第三者が容易にコンセント１０を使用することを抑制することが可能となる。言い換えれば、カバー部は、電源プラグ３０ｅおよびプラグ保持部３を覆う状態で、カバー部をロックするロック部２ａａを有している。なお、扉部４には、扉保持部２に扉部４をロックさせるに先立って、扉部４の端部に設けた係止突起４ｊと扉保持部２の係止凹部２ｊとを係止させて仮保持できるように構成している。
【００４３】
また、コンセント本体部１および扉部４それぞれには、扉保持部２に対して扉部４が閉鎖した状態でロックするための錠（図示していない）が挿通可能な貫通穴部１ｅ１，４ｂを有している。扉部４は、扉保持部２に対して、開放した状態の位置と、閉鎖した状態の位置との間で回動自在としている。扉部４は、シャフト４ｇ１およびシャフト支持部４ｇによって左側端部が扉保持部２の回動支持部２ｇに軸支されている。扉部４は、扉部４の開閉端部に貫通穴部４ｂを設けている。同様に、コンセント本体部１は、扉部４が閉鎖した状態において、扉部４の貫通穴部４ｂと挿通可能な貫通穴部１ｅ１が貫設された立設片１ｅを器具本体１ａに設けている。すなわち、コンセント１０は、扉部４の貫通穴部４ｂと立設片１ｅの貫通穴部１ｅ１とを挿通することが可能に位置を合わせている。扉部４の貫通穴部４ｂと立設片１ｅの貫通穴部１ｅ１とは、扉保持部２に対して扉部４が閉鎖した状態で、たとえば、南京錠の掛け金などの錠を挿通して施錠することにより、扉部４をコンセント本体部１に固定することが可能となる。なお、コンセント１０には、扉部４とコンセント本体部１とを別途に設けた南京錠などにより固定するだけでなく、コンセント本体部１自体に錠前を備えていてもよい。
【００４４】
本実施形態のコンセント１０は、比較的簡単な構成により、電源プラグ３０ｅのケーブルたる充電ケーブル３０ｄをコンセント１０から容易に取れなくして充電ケーブル３０ｄのいたずらや盗難を抑制することが可能となる。すなわち、本実施形態のコンセント１０は、電気自動車などを充電するため屋外に設置した場合であっても、第三者が自由に電源プラグ３０ｅを抜き差しできるものでもない。そのため、本実施形態のコンセント１０は、充電中の電気自動車の電源プラグ３０ｅを引き抜いて充電が妨害されたり、電源プラグ３０ｅの盗難などを抑制することが可能となる。また、本実施形態のコンセント１０は、第三者の電気自動車の充電用の電源プラグ３０ｅで勝手に充電されたりするという弊害を抑制することが可能となる。また、コンセント１０は、扉保持部２に対して扉部４が閉鎖した状態で、扉保持部２と扉部４とが面一であることが好ましい。これにより、コンセント１０は、外観の美観をさらに高めることも可能となる。また、コンセント１０は、コンセント１０の取付の作業時に、作業者がコンセント１０に引っ掛かるなど作業の邪魔になることを低減させることも可能となる。コンセント１０は、コンセント１０の使用時に、使用者などがコンセント１０に引っ掛かることなどを低減させることも可能となる。
【００４５】
本実施形態のコンセント１０は、電源プラグ３０ｅをコンセント１０に挿入した状態で扉部４が電源プラグ３０ｅを覆うことができる。そのため、コンセント１０は、美観性の向上が可能となる。また、コンセント１０は、電源プラグ３０ｅをコンセント１０に挿入した状態で扉部４が電源プラグ３０ｅを覆っているので、扉部４を備えていないものと比較して、外部から水や塵芥が電源プラグ３０ｅに付着することを抑制することが可能となる。したがって、本実施形態のコンセント１０は、防水性などを向上させることも可能となる。
【００４６】
また、本実施形態のコンセント１０は、外部からプラグ保持部３に何らかの物体が当たってプラグ保持部３の突起部３ａから電源プラグ３０ｅが外れることを抑制することができる。電気自動車に用いられる電源プラグ３０ｅ側では、漏電による感電事故などを防止するため、電気自動車への充電を制御する充電回路遮断装置などが充電ケーブル３０ｄに設けられる場合がある。電気自動車用の電源プラグ３０ｅは、単なる電源ケーブルに接続されたプラグと比較して、電源プラグ３０ｅを接続したコンセント１０にかかる荷重が大きい。コンセント１０は、プラグ保持部３の突起部３ａから電源プラグ３０ｅが外れた衝撃で、コンセント１０から電源プラグ３０ｅが抜け落ちる恐れもある。すなわち、本実施形態のコンセント１０は、電源プラグ３０ｅをコンセント１０に接続した状態でカバー部が電源プラグ３０ｅを覆っているので、外部からプラグ保持部３に何らかの物体が当たってプラグ保持部３の突起部３ａから電源プラグ３０ｅが外れることを抑制することも可能となる。
【００４７】
（実施形態２）
本実施形態のコンセント１０は、実施形態１のコンセント１０の如く、左右方向（図１の紙面の左右方向）にカバー部の扉部４を開閉可能とする代わりに、カバー部の扉部４を上下方向（図１１および図１２の紙面の上下方向）に開閉可能とする点が相違する。なお、本実施形態のコンセント１０は、実施形態１と同様の構成要素については、同一の符号を付して説明を適宜省略している。
【００４８】
本実施形態のコンセント１０は、図１１および図１２に示すように、扉保持部２の上側に設けられた扉部４のシャフト支持穴４ｐに挿通され、扉保持部２側に固定されたシャフト２ｐの軸回りに扉部４が回動可能に構成している。
【００４９】
これにより、本実施形態のコンセント１０は、扉部４の自重により扉部４をコンセント本体部１側に閉じた状態にし易くすることが可能となる。
【００５０】
（実施形態３）
図１３に示す本実施形態のコンセント１０は、図１の実施形態１の支持部１ｊに支持されたコンセントカバーとなるプラグ保持部３の代わりに、配線器具５の受口カバー５ａから電源プラグ３０ｅの挿入方向に沿って突出するプラグ保持部３を用いる点が相違する。なお、本実施形態のコンセント１０は、実施形態１と同様の構成要素については、同一の符号を付して説明を適宜省略している。
【００５１】
本実施形態のコンセント１０は、図１３に示すように、配線器具５の受口カバー５ａから電源プラグ３０ｅの挿入方向に沿って突出した電源プラグ３０ｅを保持する専用のプラグ保持部３を備えている。プラグ保持部３は、コンセント本体部１側に押圧することで、撓ますことが可能な樹脂材料などにより、受口カバー５ａと一体に形成している。
【００５２】
コンセント１０は、電源プラグ３０ｅの栓刃３０ａが栓刃挿入口１ｄに挿入された場合、突起部３ａによって電源プラグ３０ｅを保持する。コンセント１０は、電源プラグ３０ｅの栓刃３０ａが栓刃挿入口１ｄへ挿入された場合、プラグ保持部３の凹部３ｃ内に形成された突起部３ａが、電源プラグ３０ｅの係止突起３０ｂに当接した状態となる。すなわち、コンセント１０は、電源プラグ３０ｅの係止突起３０ｂを突起部３ａに引っかけて、電源プラグ３０ｅを保持する。
【００５３】
次に、本実施形態のコンセント１０から電源プラグ３０ｅを抜く場合について説明する。コンセント１０は、電源プラグ３０ｅの栓刃３０ａが栓刃挿入口１ｄに挿入された状態で、プラグ保持部３をコンセント本体部１側に押圧される。コンセント１０は、プラグ保持部３への押圧により、コンセント本体部１側にプラグ保持部３が撓む。コンセント１０では、突起部３ａと電源プラグ３０ｅの係止突起３０ｂとを離間させた状態において、電源プラグ３０ｅを挿入方向と反対側に引かれることにより、電源プラグ３０ｅの栓刃３０ａを栓刃挿入口１ｄから容易に抜くことができる。
【００５４】
これにより、本実施形態のコンセント１０は、実施形態１のコンセント１０と比較して、全体をより簡単な構成としつつ、美観性の向上が可能となる。また、本実施形態のコンセント１０は、実施形態１のコンセント１０と比較して、構造が単純で、電源プラグ３０ｅの挿入方向と反対側に引き抜かれる力に対する耐性をより高くすることが可能となる。
【符号の説明】
【００５５】
１  コンセント本体部
１ｃ  取外操作部
１ｅ１  貫通穴部
２  扉保持部
２ａａ  ロック部
３  プラグ保持部
４  扉部
４ａ  ケーブル導出孔
４ｂ  貫通穴部
１０  コンセント
３０ｄ  充電ケーブル（ケーブル）
３０ｅ  電源プラグ
【図１】
0005906410.tif 000002
【図２】
0005906410.tif 000003
【図３】
0005906410.tif 000004
【図４】
0005906410.tif 000005
【図５】
0005906410.tif 000006
【図６】
0005906410.tif 000007
【図７】
0005906410.tif 000008
【図８】
0005906410.tif 000009
【図９】
0005906410.tif 000010
【図１０】
0005906410.tif 000011
【図１１】
0005906410.tif 000012
【図１２】
0005906410.tif 000013
【図１３】
0005906410.tif 000014
【図１４】
0005906410.tif 000015
【図１５】
0005906410.tif 000016
【図１６】
0005906410.tif 000017